(57)【要約】【課題】ゴルフ初心者がゴルフボールからの精神的な圧迫を受けず安定した精神状態で気持ちよくゴルフボールの打撃ができ、短期間でスイング姿勢が効果的にマスターできるようにする。【解決手段】ゴルフボールを載せるティーとゴルフボールを載せることのないティーが打撃点に交互に置かれるか、又は、１本のティーに、狙いを定めている間ゴルフボールが載せられず打撃時点直前にゴルフボールが載せられて、ゴルフ練習者が安定した精神状態でスイングし且つゴルフボールを打つことが出来るようにした。【選択図】図１
2009537275.tif 000002
【特許請求の範囲】
【請求項１】
ゴルフボール供給装置から供給されるゴルフボールが載せられる台座を有する打撃ティーと、ゴルフボールが載せられることのない台座を有する照準ティーと、前記打撃ティーと照準ティーを打撃点へ交互に配置するように制御するマイクロコンピュータとを備え、前記打撃ティーと照準ティーが、隣接して練習ボード上の打撃点に据えられるようになっているゴルフスイング練習機であって、練習者が打撃点を狙ったとき、前記照準ティーが練習ボード上の打撃点に配置され、バックスイング動作が終わってゴルフクラブヘッドが打撃点に隣接した位置に達したとき、台座にゴルフボールを載せた前記打撃ティーが練習ボード上の打撃点に配置されるようになっているゴルフスイング練習機。
【請求項２】
前記照準ティーと打撃ティーをそれぞれ受けるための一対の凹部が、前記練習ボード上面の打撃点に形成されていて、前記凹部には、前記マイクロコンピュータの制御により上下動する昇降ロッドがそれぞれ備えられており、前記照準ティーと打撃ティーは前記昇降ロッドにそれぞれ取り付けられていて、前記照準ティーと打撃ティーが前記昇降ロッドの昇降により練習ボード上の打撃点に交互に配置されるようになっている請求項１に記載のゴルフスイング練習機。
【請求項３】
各昇降ロッドは、空気シリンダーのピストンを含んでいる請求項２に記載のゴルフスイング練習機。
【請求項４】
各昇降ロッドは、駆動モータの回転軸にラック及びピニオンにより連結されている請求項２に記載のゴルフスイング練習機。
【請求項５】
練習ボード上の打撃点には、電気モータの駆動により一方向に回転するターンテーブルが設けられており、前記照準ティーと打撃ティーは所定の間隔を置いて前記ターンテーブルの縁に取り付けられていて、前記照準ティーと打撃ティーは前記電気モータの駆動による前記ターンタブルの回転により練習ボード上の打撃点に交互に配置されるようになっている請求項１に記載のゴルフスイング練習機。
【請求項６】
練習ボード上の打撃点には、ゴルフクラブのヘッドの動きを感知するセンサーが設けられていて、ゴルフクラブのヘッドが最初のスイング動作において打撃点から離れた時点と、ゴルフクラブのヘッドが打撃点に再び入った時点とを感知して、照準ティーと打撃ティーが、これらの両時点の間隔に従って練習ボード上の打撃点に交互に配置されるようになっている請求項１に記載のゴルフスイング練習機。
【請求項７】
打撃点の形成された練習ボードと、練習ボード上の前記打撃点から突出したティーと、前記ティーの上端へゴルフボールを一個ずつ供給するゴルフボール供給モジュルと、打撃点に出入するゴルフクラブヘッドの動きを感知するため打撃点に取り付けられたセンサーと、マイクロコンピュータとを備え、該マイクロコンピュータは、練習者の最初のスイング動作において、出発点としてゴルフクラブのヘッドが打撃点から離れた時点と、終点としてゴルフクラブのヘッドが再び打撃点へ入る時点とを利用してスイング間隔を測定し、その後は次のスイング動作でゴルフクラブのヘッドが打撃点から離れた時点を出発点としてこのスイング動作のスイング間隔を測定し、練習者のこのスイング動作の終点に至るまでの時間を計算して、このスイング動作の終点に到達する直前にゴルフボールをティー上に供給するようゴルフボール供給モジュルを駆動するゴルフスイング練習機。
【請求項８】
前記ティーは上部が開放した中空構造を有し、前記ゴルフボール供給モジュルは、練習ボードの打撃点の下に形成されてゴルフボールを供給するゴルフボール供給溝と、該ゴルフボール供給溝から一個ずつ供給されるゴルフボールを受けてそのゴルフボールを前記ティーの上面を通過して外側に露出させるため、中空の前記ティー内を昇降する持ち上げロッドとを有している請求項７に記載のゴルフスイング練習機。
【請求項９】
前記ゴルフボール供給モジュルは、ティーの一方側に取り付けられていて、ゴルフボールを一個ずつティーの上端上へ発射する請求項７に記載のゴルフスイング練習機。
【発明の詳細な説明】
【技術分野】
【０００１】
本発明は、ゴルフスイング練習機、特に、ゴルフボールを載せるティーとゴルフボールを載せることの無いティーが打撃点に交互に置かれるか、又は、１本のティーに、狙いを定めている間ゴルフボールが載せられず打撃時点直前にゴルフボールが載せられて、ゴルフ練習者が安定した精神状態でスイングし且つゴルフボールを打つことが出来るようにしたゴルフスイング練習機に関する。
【背景技術】
【０００２】
一般的に、ゴルフ初心者はスイング姿勢を室内のゴルフ練習場で学び、そしてそれからゴルフ場でゴルフを楽しむ。スイング姿勢の練習を効果的に進めるために、ゴルフスイング練習機が用いられている。
【０００３】
そのようなゴルフスイング練習機３として、図１１に示すように、練習ボード１０上の打撃点Ｐに一つのティーＴが備えられ、そしてマイクロコンピュータ４０の制御によりゴルフボール供給装置５０からゴルフボールが自動的に供給されてティーＴの上に載せられる。このようにして、打撃点ＰのティーＴの上にゴルフボールが供給されるたびに、練習者はティーＴの上のゴルフボールを狙い、そしてそれからクラブでゴルフボールを打ち、このようにしてスイングの練習をする。なお、説明しなかった符号７０は電源供給モジュルである。
【０００４】
ほとんどのゴルフ初心者はティーにゴルフボールが載せられていないときには自然なスイング姿勢をとるが、ティー上のゴルフボールをもっと満足した打撃をしようとしてしっかりと狙いを定めてティー上のゴルフボールを打とうとすると、精神的な圧迫が生じるために彼らの身体に過度の大きな力が働き、例えばヘッドアップをして安定したスイング姿勢をとれない。
【０００５】
上記問題はスイング練習を繰り返すことにより修正可能である。
しかし、ゴルフ初心者は長期間にわたりスイング練習を繰り返さなければならず、そしてこのようにして重要な技術の要求についての効果は低められているのである。
【発明の開示】
【発明が解決しようとする課題】
【０００６】
そこで、本発明は上記問題に鑑みて、練習者が打撃点に狙いを定めているときには練習ボード上の打撃点にはゴルフボールが載せられてなく、そしてゴルフクラブのヘッドが打撃点の隣接位置に来たときに打撃点にあるティーにゴルフボールが載せられるようにし、練習者が安定した精神状態でスイングと打撃姿勢の練習ができるゴルフスイング練習機を提供することを目的としている。
【課題を解決するための手段】
【０００７】
本発明にかかる第一の発明のゴルフスイング練習機によれば、上記課題などを解決するためにゴルフボール供給装置から供給されるゴルフボールが載せられる台座を有する打撃ティーと、ゴルフボールが載せられることのない台座を有する照準ティーと、前記打撃ティーと照準ティーを打撃点へ交互に配置するように制御するマイクロコンピュータとを備え、前記打撃ティーと照準ティーが、隣接して練習ボード上の打撃点に据えられるようになっているゴルフスイング練習機であって、練習者が打撃点を狙ったとき、前記照準ティーが練習ボード上の打撃点に配置され、バックスイング動作が終わってゴルフクラブヘッドが打撃点に隣接した位置に達したとき、台座にゴルフボールを載せた前記打撃ティーが練習ボード上の打撃点に配置されるようになっているものである。
【０００８】
また好ましくは、前記照準ティーと打撃ティーをそれぞれ受けるための一対の凹部が、前記練習ボード上面の打撃点に形成されていて、前記凹部には、前記マイクロコンピュータの制御により上下動する昇降ロッドがそれぞれ備えられており、前記照準ティーと打撃ティーは前記昇降ロッドにそれぞれ取り付けられていて、前記照準ティーと打撃ティーが前記昇降ロッドの昇降により練習ボード上の打撃点に交互に配置されるようになっている。
【０００９】
さらに好ましくは、練習ボード上の打撃点には、電気モータの駆動により一方向に回転するターンテーブルが設けられており、前記照準ティーと打撃ティーは所定の間隔を置いて前記ターンテーブルの縁に取り付けられていて、前記照準ティーと打撃ティーは前記電気モータの駆動による前記ターンタブルの回転により練習ボード上の打撃点に交互に配置されるようになっている。
【００１０】
本発明にかかる第二の発明のゴルフスイング練習機によれば、打撃点の形成された練習ボードと、練習ボード上の前記打撃点から突出したティーと、前記ティーの上端へゴルフボールを一個ずつ供給するゴルフボール供給モジュルと、打撃点に出入するゴルフクラブヘッドの動きを感知するため打撃点に取り付けられたセンサーと、マイクロコンピュータとを備え、該マイクロコンピュータは、練習者の最初のスイング動作において、出発点としてゴルフクラブのヘッドが打撃点から離れた時点と、終点としてゴルフクラブのヘッドが再び打撃点へ入る時点とを利用してスイング間隔を測定し、その後は次のスイング動作でゴルフクラブのヘッドが打撃点から離れた時点を出発点としてこのスイング動作のスイング間隔を測定し、練習者のこのスイング動作の終点に至るまでの時間を計算して、このスイング動作の終点に到達する直前にゴルフボールをティー上に供給するようゴルフボール供給モジュルを駆動するようになっている。
【００１１】
また好ましくは、前記ティーは上部が開放した中空構造を有し、前記ゴルフボール供給モジュルは、練習ボードの打撃点の下に形成されてゴルフボールを供給するゴルフボール供給溝と、該ゴルフボール供給溝から一個ずつ供給されるゴルフボールを受けてそのゴルフボールを前記ティーの上面を通過して外側に露出させるため、中空の前記ティー内を昇降する持ち上げロッドとを有している。
【００１２】
さらに好ましくは、前記ゴルフボール供給モジュルは、ティーの一方側に取り付けられていて、ゴルフボールを一個ずつティーの上端上へ発射するようになっている。
【発明の効果】
【００１３】
本発明のゴルフスイング練習機は、ゴルフ初心者が室内のゴルフ練習場でのゴルフスイングと打撃練習の装置として使用でき、ゴルフ初心者がゴルフボールからの精神的な圧迫を受けず安定した精神状態で快適にゴルフボールの打撃ができ、短期間でスイング姿勢が効果的にマスターできる。
【発明を実施するための最良の形態】
【００１４】
次に、本発明の好ましい実施例の詳細を図面を参照して説明する。
【００１５】
まず、図１乃至図６は本発明のゴルフスイング練習機の第一の発明につてのいくつかの実施例を示したものである。これらのゴルフスイング練習機１，１’，１”は、照準ティー２０と打撃ティー３０が練習ボード１０上の打撃点Ｐに交互に配置され、照準過程においては、練習ボード１０上の打撃点Ｐにはゴルフボールが載せられていない照準ティー２０が位置し、そして打撃過程においては、練習ボード１０上の打撃点Ｐにはゴルフボールが載せられた打撃ティー３０が位置し、このようにして練習者はゴルフボールから精神的な圧迫を受けないで安定した精神状態でゴルフボールを打つことができる。
【００１６】
さらに詳述すると、各ゴルフスイング練習機１，１’，１”は、打撃点Ｐが形成された練習ボード１０と、交互に練習ボード１０の打撃点Ｐに配置される照準ティー２０と打撃ティー３０と、練習ボード１０の上に照準ティー２０と打撃ティー３０を所定の間隔で交互に配置するために照準ティー２０と打撃ティー３０をコントロールするマイクロコンピュータ４０と、マイクロコンピュータ４０へ電源を供給する電源供給モジュル７０を含んでいる。
【００１７】
照準ティー２０の台座２１にはゴルフボールＢは載せられていない。一方、ゴルフボールＢはゴルフボール供給装置５０から打撃ティー３０の台座３１に一個ずつ供給され、そしてこのようにして打撃ティー３０は打撃ポイントＰに位置するときはいつも一個のゴルフボールＢが打撃ティー３０の台座３１に載せられている。
【００１８】
ここで、ゴルフボール供給装置５０によりゴルフボールＢを打撃ティー３０に供給し、そしてゴルフボールＢを打撃ティー３０の台座３１に載せるためのゴルフボール供給装置５０は、基本的には従来のゴルフスイング練習機と同じであり、したがってそれらの詳細な説明は不要であると考えるので省略する。
【００１９】
これらのゴルフスイング練習機１，１’，１”は従来のゴルフスイング練習機と、打撃ティー３０とは別にゴルフボールが載せられることのない照準ティー２０が、照準ティー２０として練習ボード１０の上に準備され、そしてマイクロコンピュータ４０の制御により練習ボード１０の上の打撃点Ｐに打撃ティー３０と交互に配置されるようになっていることが異なる。
【００２０】
練習ボード１０の上の打撃点Ｐに照準ティー２０と打撃ティー３０を交互に配置する構造としてはいくつかがある。例えば、図２乃至図４は第一実施例を示し、照準ティー２０と打撃ティー３０を交互に上昇と下降させる手段により、照準ティー２０と打撃ティー３０を交互に配置するようにしたものであり、図５及び図６は第二実施例を示し、ターンテーブル１７を回転させる手段により、照準ティー２０と打撃ティー３０を交互に配置するようにしたものである。
【００２１】
最初に、上昇と下降させる手段により照準ティー２０と打撃ティー３０を交互に配置する構造の詳細を説明する。図２乃至図４に示すように、照準ティー２０と打撃ティー３０をそれぞれ受け入れるための一対の凹部１１，１２が、練習ボード１０上面の打撃点Ｐに形成されており、そして凹部１１，１２には、それぞれ昇降ロッド１３，１３’が備えられている。そして、昇降ロッド１３，１３’が交互に上昇と下降をすることにより、練習ボード１０上の打撃点Ｐに照準ティー２０と打撃ティー３０が交互に配置される。
【００２２】
ここで、図２に示すように、それぞれの昇降ロッド１３は空気シリンダーのピストン１４を含み、そして図３に示すように、それぞれの昇降ロッド１３’はラック１６ａとピニオン１６ｂにより駆動モータ１５の回転軸１５ａと連結されている。
【００２３】
一方、図５及び図６に示すものは、照準ティー２０と打撃ティー３０はターンテーブル１７の縁に所定の間隔を置いて取り付けられている。そして、照準ティー２０と打撃ティー３０はターンテーブル１７が電気モータ１７ａにより回転することにより、練習ボード１０の打撃点Ｐに交互に配置される。
【００２４】
照準ティー２０と打撃ティー３０が交互に配置される構造については、上記実施例に限定されるものではなく、いろいろな変更が可能である。
【００２５】
上記実施例において、練習ボード１０上の打撃点Ｐには、ゴルフクラブのヘッドの動きを感知するセンサー６０が設けられていて、照準ティー２０と打撃ティー３０が、適切な時間間隔で練習ボード１０上の打撃点Ｐに交互に配置されるようになっている。センサー６０はゴルフクラブのヘッドが最初のスイング運動において打撃点Ｐから離れた時点と、ゴルフクラブのヘッドが打撃点Ｐに再び入った時点とを感知し、スイングの過程において、上記センサー６０が感知したこれらの時点と時点の間隔に従って、練習ボード１０上の打撃点Ｐに照準ティー２０と打撃ティー３０が交互に配置されるように照準ティー２０と打撃ティー３０の制御を行う。
【００２６】
照準ティー２０と打撃ティー３０の交互配置は、マイクロコンピュータ４０に予め記憶されている時間データは使用せず、センサー６０により感知された練習者のスイング時間データをマイクロコンピュータ４０から読み出して行う。
【００２７】
照準ティー２０と打撃ティー３０を交互に配置するのを練習者の時間データを用いて実施することにより、練習者は彼らのスイング動作で繰り返し照準ティー２０を狙い打撃ティー３０に載せられているゴルフボールＢを打つことができる。
【００２８】
したがって、練習者はゴルフボールから精神的な圧迫を受けずにゴルフボールを打つことができ、よって短期間で自然なスイング姿勢を習得できる。
【００２９】
図７は本発明のゴルフスイング練習機の第二の発明を示す概略図であり、図８乃至図１０はそれぞれ本発明のゴルフスイング練習機の第二の発明のいくつかの実施例を示したものである。
【００３０】
以下、図７乃至図１０を参照して本発明のゴルフスイング練習機の第二の発明の詳細を説明する。
【００３１】
まず、図７を参照し、これらのゴルフスイング練習機２，２’，２”は、打撃点Ｐがその上に形成してある練習ボード１１０と、打撃点Ｐから突出したティー１２０，１２０’と、ゴルフボールを一個ずつティー１２０，１２０’に供給するためのゴルフボール供給モジュル１５０，１５０’，１５０”と、打撃点Ｐに出入りするゴルフクラブヘッド（図示せず）の動きを感知するために打撃点Ｐに取り付けられたセンサー１３０と、センサー１３０とゴルフボール供給モジュル１５０，１５０’，１５０”の動作を制御するためのマイクロコンピュータ１４０を含む。
【００３２】
図示はしていないが、これらの各ゴルフスイング練習機２，２’，２”はさらにゴルフボール供給モジュル１５０，１５０’，１５０”を含むゴルフスイング練習機２，２’，２”に電源を供給する電源供給モジュルを含む。
【００３３】
ここで、マイクロコンピュータ１４０は、練習者の最初のスイング動作において、ゴルフクラブのヘッドが打撃点Ｐから離れた時点を出発点とし、ゴルフクラブのヘッドが再び打撃点Ｐへ入る時点、すなわちセンサー１３０を通過した時点を終点とし、これを利用してスイング間隔を測定し、そしてこのスイング間隔により練習者が次のスイング動作で出発点から終点に至る時間を計算する。そして次のスイング動作でゴルフクラブヘッドが打撃点Ｐを離れた時点を、このスイング動作でのスイング間隔を測定するための出発点とする。それによって、マイクロコンピュータ１４０はこのスイング動作の終点に到達する直前にゴルフボールをティー１２０，１２０’上に供給するようゴルフボール供給モジュル１５０，１５０’，１５０”を駆動する。
【００３４】
次に、本発明のゴルフスイング練習機２，２’の第二の発明について、マイクロコンピュータ１４０による制御過程を詳述する。制御過程は順次、マイクロコンピュータ１４０による練習者のスイング間隔の測定と、スイング間隔の測定結果に基づきマイクロコンピュータ１４０の制御によりゴルフボール供給モジュル１５０，１５０’，１５０”を駆動してゴルフボールをティー１２０，１２０’上へ供給し、練習者がゴルフボールを打つまでティー１２０，１２０’の上にゴルフボールを載せておくことを含む。練習者がスイングと打撃運動の練習を繰り返している間は、ゴルフボールの供給とゴルフボールの保持が交互に繰り返される。
【００３５】
さらに詳述すると、練習者のスイング間隔の測定は、練習者が最初のスイング運動でゴルフクラブヘッドが打撃点Ｐを離れた時点を出発点とし、そして打撃点Ｐにあるセンサー１３０をゴルフクラブヘッドが通過した時を、ゴルフクラブヘッドが打撃点Ｐに再進入した時点の終点として、ゴルフスイング練習機２，２’，２”に設けられたマイクロコンピュータ１４０によりスイング間隔が測定されて認知される。
【００３６】
次に、ゴルフボールのティー１２０，１２０’上への供給は、マイクロコンピュータ１４０が、スイング間隔を測定した後に練習者の次のスイング動作でゴルフクラブヘッドが打撃点Ｐを通り抜けセンサー１３０を通過した時点を出発点とする。そして、測定してあるスイング間隔に基づき、上記のこのスイング動作での出発点を元にして、このスイング運動で終点に至るまでの時間を計算する。そして、マイクロコンピュータ１４０はこのスイング動作の終点に到達する直前にゴルフボールをティー１２０，１２０’上に供給するようゴルフボール供給モジュル１５０，１５０’，１５０”を駆動する。
【００３７】
次に、ゴルフボールの保持は、練習者のスイング運動でゴルフクラブヘッドが打撃点Ｐを離れ、打撃点Ｐに再進入してティー１２０，１２０’の上に載せられたゴルフボールが打たれるまで行われる。
【００３８】
以下、図８及び図９を参照して、本発明のゴルフスイング練習機２，２’の第二の発明の第一実施例について説明する。これらのゴルフスイング練習機２，２’は上記した本発明の第二の発明のゴルフスイング練習機と同様の構成である。
【００３９】
しかし、図８及び図９に示すように、練習ボード１０の上の打撃点Ｐに上部が開放した中空のティー１２０が取り付けられている。さらに、ゴルフボール供給モジュル１５０，１５０’は、練習ボード１０の打撃点Ｐの下に形成されてゴルフボールＢを供給するゴルフボール供給溝１５３を有し、そしてゴルフボール供給溝１５３からその上端部で一個ずつ供給されるゴルフボールを受け、そのゴルフボールをティー１２０の上面を通過させて外側に露出させるため、ティー１２０の中空１２１内を昇降する持ち上げロッド１５２を有している。
【００４０】
ティー１２０の中空１２１の直径は、ゴルフボールＢが自由に通れるようにゴルフボールＢよりも大きい。
【００４１】
ティー１２０の中空１２１内を昇降するゴルフボール供給モジュル１５０，１５０’の持ち上げロッド１５２は、図８に示すように空気シリンダー１５１に連結され、空気シリンダー１５１を作動させることにより昇降し、あるいは図９に示すようにラック１５４ａとピニオン１５４ｂにより電気モータ１５４に連結され、電気モータ１５４を作動させることにより昇降するようになっている。
【００４２】
上記した構成によると、練習者が中空のティー１２０を狙ったときには図８（Ｉ）や図９（Ｉ）に示すように、中空のティー１２０の上にはゴルフボールは載せられておらず、練習者のゴルフクラブのヘッドがバックスイング動作が終わり打撃点Ｐに近づくと、図８（II）や図９（II）に示すように、ゴルフボール供給モジュル１５０，１５０’の持ち上げロッド１５２がマイクロコンピュータ１４０の制御により上昇し、そしてゴルフボールＢが中空のティー１２０の上に載せられる。それゆえに、練習者は直接ゴルフボールを狙わないでゴルフボールＢが載っていないティー１２０を狙うこととなり、よってゴルフボールから精神的な圧迫を受けないで安定した精神状態でゴルフボールＢを打つことができる。
【００４３】
次に、図１０を参照して、本発明のゴルフスイング練習機２”の第二の発明の第二実施例について述べる。このゴルフスイング練習機２”は前記第一実施例のゴルフ練習機２，２’と類似しており、本ゴルフスイング練習機２”は本発明の第二の発明の他のゴルフスイング練習機と同様の構造である。しかし、このゴルフスイング練習機２”は第一実施例のゴルフスイング練習機２，２’と、ゴルフスイング練習機２”のティー１２０’の上にゴルフボールＢが一個ずつ発射されて載せられることが異なる。
【００４４】
本実施例のゴルフスイング練習機２”は、ティー１２０’は練習ボード１１０の打撃点Ｐから突出しており、そしてゴルフボールＢを一個ずつティー１２０’の上端上に発射するゴルフボール供給モジュル１５０”がティー１２０’に対して一方の側に取り付けられている。例えば図１０に示すように、ゴルフボール供給モジュル１５０”はゴルフボールＢを空気圧によりティー１２０’の上に発射する。図１０において符号１５３はゴルフボール出口であり、そこを通ってゴルフボールは発射され、そして符号１５５は空気吐出口であり、そこから圧縮空気が吹き出される。
【００４５】
第二実施例のゴルフスイング練習機２”は第一実施例のゴルフスイング練習機２，２’と同様にして、練習者がティー１２０’を狙ったときにはティー１２０’の上にはゴルフボールは載せられておらず、練習者のゴルフクラブがバックスイング動作が終わり打撃点Ｐに近づくと、マイクロコンピュータ１４０の制御によりゴルフボール供給モジュル１５０”によりゴルフボールＢがティー１２０’に供給される。それゆえに、練習者は直接ゴルフボールを狙わないでゴルフボールＢが載っていないティー１２０’を狙うこととなり、よってゴルフボールから精神的な圧迫を受けないで安定した精神状態でゴルフボールＢを打つことができる。
【産業上の利用可能性】
【００４６】
本発明のゴルフスイング練習機はゴルフ初心者がゴルフボールからの精神的な圧迫を受けないので短期間でスイング姿勢と打撃姿勢を習得でき、室内練習場に備えることにより練習者は本練習機によりスイングと打撃姿勢の練習を効果的に行える。
【００４７】
本発明の上記した実施例は一例を述べたものであり、特許請求の範囲で述べた考えや範囲を変更するものでなければ、技術の熟成によりいろいろな変更や追加や置き換えが可能である。
【図面の簡単な説明】
【００４８】
【図１】本発明にかかるゴルフスイング練習機の概略図である。
【図２】本発明にかかるゴルフスイング練習機の第一の発明の第一実施例を示した断面図である。
【図３】本発明にかかるゴルフスイング練習機の第一の発明の第一実施例の他例を示した断面図である。
【図４】本発明にかかるゴルフスイング練習機の第一の発明の第一実施例を示した斜視図である。
【図５】本発明にかかるゴルフスイング練習機の第一の発明の第二実施例を示した斜視図である。
【図６】本発明にかかるゴルフスイング練習機の第一の発明の第二実施例を示した断面図である。
【図７】本発明にかかるゴルフスイング練習機の第二の発明の概略図である。
【図８】本発明にかかるゴルフスイング練習機の第二の発明の第一実施例を示す図である。
【図９】本発明にかかるゴルフスイング練習機の第二の発明の第一実施例の他例を示す図である。
【図１０】本発明にかかるゴルフスイング練習機の第二の発明の第二実施例を示す図である。
【図１１】従来のゴルフスイング練習機の基本構造を示す概略図である。
【図１】
2009537275.tif 000003
【図２】
2009537275.tif 000004
【図３】
2009537275.tif 000005
【図４】
2009537275.tif 000006
【図５】
2009537275.tif 000007
【図６】
2009537275.tif 000008
【図７】
2009537275.tif 000009
【図８】
2009537275.tif 000010
【図９】
2009537275.tif 000011
【図１０】
2009537275.tif 000012
【図１１】
2009537275.tif 000013
【国際調査報告】
2009537275.tif 000014
2009537275.tif 000015